(57)【要約】【課題】乾電池を電源とする機器において、乾電池と端子との接触不良の解消を簡易、迅速且つ確実に行え、さらにコスト上も有利な構成を提供する。【解決手段】電池収容部１２と、該電池収容部１２に収めた乾電池１４を覆う電池収容部カバー１３と、を備え、該電池収容部カバー１３に、該電池収容部カバー１３の外から前記乾電池１４を直接回転操作するための開口部１５が形成される。前記開口部１５は、乾電池１４の長さ方向の中央部に対応する位置で電池収容部カバー１３に形成するのが好ましい。【選択図】    図４
2020140799.tif 000002
【特許請求の範囲】
【請求項１】
電池収容部と、該電池収容部に収めた乾電池を覆う電池収容部カバーを備え、該電池収容部カバーに、該電池収容部カバーの外から前記乾電池を直接回転操作するための開口部が形成されている、乾電池を電源とする機器。
【請求項２】
請求項１において、前記開口部が、乾電池の長さ方向の中央部に対応する位置で電池収容部カバーに形成されている、乾電池を電源とする機器。
【請求項３】
乾電池を電源とする機器において機器本体の電池収容部に収めた乾電池を覆う電池収容部カバーであって、前記機器本体への取付状態のままで外から前記乾電池を直接回転操作できる開口部を有する、電池収容部カバー。
【発明の詳細な説明】
【技術分野】
【０００１】
本発明は、乾電池（以下、本明細書では単に「電池」という。）を電源とする機器に関する。
【背景技術】
【０００２】
例えば、電池式のリモコン送信機、電池式のラジオ、電池式の携帯充電器、電池式電子辞書、電池式歯ブラシ、電池式の時計、電池式のおもちゃ等、電池を電源とする機器は広く用いられている。
【０００３】
これらの機器の機能停止の原因は、本体の故障を除き、ほとんどが電池に関連するものである。
【０００４】
機器の機能が停止した場合、機器の使用者は、電池の寿命が尽きたと判断し、電池交換をすることが一般的である。そして、交換された古い電池は廃棄される。
【０００５】
しかし、廃棄されてしまう電池は、電力を保持したままであることがほとんどである。このため、電池を外して機器の本体ケースとの接点を布などで掃除し、再度機器に装着すると、機能を復活させることができる。
【０００６】
なぜ電力を保持したまま通電が不能になるのか。それは、電池の接点が鉄分を含んだ材料で作られているために、酸化や微細な埃などの影響で接触不良になってしまうからである。
【０００７】
ゆえに、電池と本体ケースの接点の掃除をすれば、電池の寿命も延びて経済的にも環境的にも貢献できる。
【０００８】
そこで、電池と本体ケースとの接点の掃除を容易にする方法が求められる。その一つとして、電池を外さずに両接点の掃除をする方法が考えられる。
【０００９】
すなわち、本体ケースの電池収容部には、電池のマイナス極端子に圧接するスプリング式端子がある。
【００１０】
このスプリング式端子の付勢力によって、電池のプラス極端子及びマイナス極端子と本体ケースの二つの端子との接点が圧接状態とされる。
【００１１】
このため、電池収容部に電池を入れたままの状態で電池を回転させれば、電池と本体ケースの接点が擦られて清掃効果が得られる。
【００１２】
よって、本体ケースに電池収容部を覆うカバーがなければ、電池と本体ケースとの接点の清掃を簡単且つ迅速に行うことができる。
【００１３】
しかしながら、電池収容部にカバーが無いと、電池が外れて落ちてしまう場合もある。特に、照明機器のリモコンなどの電池が暗闇の中で外れて落ちてしまうと、探すのは容易ではない。
【００１４】
そこで、電池収容部のカバーはそのままとし、この電池収容部カバーを取り外すことなく電池を回転させることができるリモコン送信機が、特許文献１，２等で提案されている。
【先行技術文献】
【特許文献】
【００１５】
【特許文献１】特開平６−６２４７６号公報
【特許文献２】特開平１１−１６５５７号公報
【発明の概要】
【発明が解決しようとする課題】
【００１６】
しかしながら、特許文献１，２に記載のリモコン送信機は、電池収容部に収容された電池を電池収容部カバーの外側から回転操作するための、つまみやローラー等の操作部材を付加する構成である。
【００１７】
このため、プラスチックなどの材料も増え、細かい加工が必要となり、環境的にもコスト的にも負担が増し、その上、耐久性にも問題がある。
【００１８】
さらに、操作部材を介して電池を回転させる形式であるので、電池を回転させる力の伝達効率が悪いという大きな欠点がある。
【００１９】
本発明には、そのような欠点は無く、電池を電源とする各種の機器において、接触不良の解消を簡易、迅速、且つ確実に行え、なお且つ、製造も容易である。
【００２０】
さらにコスト上も有利で環境にも貢献できる構成を提供しようとするものである。
【課題を解決するための手段】
【００２１】
前記課題を解決するため、本発明に係る電池を電源とする機器は、電池収容部と、該電池収容部に収めた電池を覆う電池収容部カバーを備え、該電池収容部カバーに、該電池収容部カバーの外から前記電池を直接回転操作するための開口部が形成されることを特徴とする（請求項１）。
【００２２】
なお、前記電池収容部カバーにおける前記開口部の形成位置は、電池の長さ方向の中央部に対応する位置で電池収容部カバーに設けるのが好ましい（請求項２）。
【００２３】
また、本発明に係る電池収容部カバーは、電池を電源とする器具において機器本体の電池収容部に収めた電池を覆う電池収容部カバーであって、前記機器本体への取付状態のままで外から前記電池を直接回転操作できる開口部を有することを特徴とする（請求項３）。
【発明の効果】
【００２４】
本発明によれば、電池収容部を電池収容部カバーで覆った状態で、開口部から電池を直接回転操作することができる。このため、接触不良の解消を簡易、迅速且つ確実に行うことができる。
【００２５】
また、電池を回転操作するに当たって電池収容部カバーを開く必要がないので便利である。電池を直接回転させるので、操作性が良く、回転駆動力の伝達効率も良い。
【００２６】
また、製造に当たっては、電池収容部カバーに開口部を形成するだけで良いので、操作部材を設けた前記従来の構成よりも、材料費・加工費の点でコストを抑えることができ、コスト上も環境上も有利である。
【００２７】
なお、電池収容部カバーにおける開口部の形成位置を、電池の両端部以外の箇所に対応する位置とすれば、電池の両端部付近に埃が入り込みにくく、好適である。
【００２８】
電池の両端部から最も遠い、電池の長さ方向の中央部に対応する位置で電池収容部カバーに開口部を設けると、電池に対してバランス良く回転駆動力が伝達されて、一層好適である。
【図面の簡単な説明】
【００２９】
【図１】本発明の実施の一形態に係る機器の一例としてのテレビ用リモコン送信機を示す図である。電池収容部カバーが取り外され、電池が入っていない状態を示している。（ａ）はテレビ用リモコン送信機の裏面の平面図、（ｂ）は（ａ）のＡ矢視図である。
【００３０】
【図２】図１（ａ）の下側の電池収容部の拡大図である。
【００３１】
【図３】（ａ），（ｂ）は図１（ａ），（ｂ）に電池を収容した状態の図である。
【００３２】
【図４】（ａ），（ｂ）は図３（ａ），（ｂ）に電池収容部カバーを装着した状態の図であり、（ｃ），（ｄ）は電池収容部カバーの平面図及び側面図である。
【００３３】
【図５】は、図４の電池収容部の拡大図で、電池を左右方向に直接回転するだけでなく、上下方向にも力を加えられること示している。
【００３４】
【図６】は、本発明の他の実施の形態に係る機器の一例としてのＤＶＤ用リモコン送信機を示す図である。電池収容部カバーが取り外され、電池が入っていない状態を示している。（ａ）はＤＶＤ用リモコン送信機の裏面の平面図、（ｂ）は（ａ）のＢ矢視図、（ｃ）はＤＶＤ用リモコン送信機の正面図である。
【００３５】
【図７】（ａ），（ｂ），（ｃ）は図６（ａ），（ｂ），（ｃ）に電池を入れて電池収容部カバーを装着した状態の図であり、（ｄ），（ｅ）は電池収容部カバーの平面図及び側面図である。
【００３６】
【図８】は、図７の電池収容部の拡大図で、電池を左右方向に直接回転するだけでなく、上下方向にも力を加えられること示している。
【００３７】
【図９】本発明を具現化した機器の例を示す図であり、（ａ），（ｂ）はテレビ用リモコン送信機の正面図及び裏面図、（ｃ），（ｄ）は照明用リモコン送信機の正面図及び裏面図、（ｅ），（ｆ）はＤＶＤ用リモコン送信機の正面図及び裏面図である。
【発明を実施するための形態】
【００３８】
以下、添付図面を参照して、本発明の実施の形態について説明する。
【００３９】
本発明は、電池を電源とする機器について広く適用できるが、ここでは、そのような機器の一例として、リモコン送信機を例示して説明する。
【００４０】
図１に示すように、本発明の実施の一形態に係るリモコン送信機１０は、テレビ用リモコン送信機であり、機器本体としての送信機本体１１の裏面に電池収容部１２を備える。
【００４１】
送信機本体１１の表面（図１（ａ）の裏面側）には、図８（ａ）に示すように、各種の操作ボタン等の操作部材１１ａが配設されている。
【００４２】
電池収容部１２内には、リモコン送信機１０の電源となる円筒状の電池１４（図３参照）が着脱自在に収められる。図１の例では、電池収容部１２が、二つの電池１４，１４を縦並びに収容できる形式とされている。
【００４３】
但し、本発明において、電池収容部１２の電池収容容量は電池一つ分であっても良く、また、三つ以上であっても良い。
【００４４】
図１〜図３に示すように、各電池収容部１２には、各電池１４のプラス極端子１４ａとマイナス極端子１４ｂに圧接する二つの端子１２ａ，１２ｂが配設されている。
【００４５】
二つの端子１２ａ，１２ｂの内、各電池１４のマイナス極端子１４ｂに圧接する端子はスプリング式端子１２ｂであり、このスプリング式端子１２ｂが電池１４のマイナス極端子１４ｂを押圧することで、電池収容部１２の二つの端子１２ａ，１２ｂ間に電池１４が圧接状態で収容される。
【００４６】
図４に示すように、電池収容部１２は、着脱自在又は開閉自在な電池収容部カバー１３で覆われる。
【００４７】
電池収容部カバー１３は、送信機本体１１に対して着脱自在又は開閉自在であるが、着脱自在又は開閉自在とするための具体的構成は任意である。
【００４８】
例えば、図４（ｃ）（ｄ）に示すように、電池収容部カバー１３の端部に弾性爪１３ａを設け、電池収容部カバー１３を送信機本体１１に対してスライドさせることで、送信機本体１１に設けた適宜の係合部１１ａに対して弾性爪１３ａを係脱自在とさせる構成が一般的である。
【００４９】
図示は省略しているが、他の例として、電池収容部カバー１３を送信機本体１１に対してヒンジ結合させ、電池収容部カバー１３に設けた弾性爪を送信機本体１１に設けた係合部に対して係脱自在とさせる構成でも良い。
【００５０】
図４に示すように、電池収容部カバー１３には、電池収容部カバー１３の外から電池収容部１２内の電池１４，１４を指で直接回転操作するための開口部１５が形成される。
【００５１】
この開口部１５は、電池収容部カバー１３の強度を保ちながら、指で電池１４，１４の回転操作を行うのに支障のない大きさに形成される。
【００５２】
図４の例では、電池収容部１２が二つの電池１４，１４を縦並びで収容できる形式とされているので、電池収容部カバー１３も縦長に形成されている。開口部１５は、電池収容部カバー１３の上下二箇所に配設されている。
【００５３】
前記構成によれば、電池収容部１２を電池収容部カバー１３で覆った状態で、リモコン送信機１０の使用者が、開口部１５から指の腹を当てて、円筒状の各電池１４を直接回転操作することができる。
【００５４】
このため、電池収容部１２内の端子と各電池１４との間の接触不良を簡易、迅速且つ確実に解消することができる。
【００５５】
また、図５からわかるように電池を左右方向に直接回転するだけでなく、上下方向にも力を加えられる。
【００５６】
これにより、電池収納部１２のスプリング式端子１２ａ、１２ｂ付近の埃や汚れをより効果的に清掃できる。
【００５７】
電池の上下方向にも力を加えることは、スプリング式端子１２ａ、１２ｂのスプリングの力が弱まったときや、端子付近の埃が多く汚れが酷いときに特に効果的である。
【００５８】
各電池１４を回転操作するに当たって電池収容部カバー１３を開く必要がないので便利である。
【００５９】
電池１４を直接回転させるので、回転駆動力の伝達効率が良い。
【００６０】
また、製造に当たっては、電池収容部カバー１３に開口部１５を形成するだけで良いので、つまみやローラー等の操作部材を設けた前記従来のリモコン送信機よりもコストを抑えることができ、コスト上も有利である。
【００６１】
電池収容部カバー１３における開口部１５の形成位置は任意であるが、各電池１４の両端部以外の箇所に対応する位置とするのが好ましい。
【００６２】
中でも特に、図４（ａ），（ｂ）に示すように、各電池１４の長さ方向の中央部に対応する位置で電池収容部カバー１３に開口部１５を設けるのが好ましい。
【００６３】
このようにすれば、各電池１４に対してバランス良く回転駆動力が伝達されることに加えて、開口部１５から各電池１４の両端部付近に埃が入り込みにくい。
【００６４】
なお、開口部１５は、電池収容部１２の換気にも貢献する。このため、電池収容カバー１３の強度が保てる範囲で開口部１５の開口面積を大きくすることで、換気効果を高めることができる。
【００６５】
本発明の他の実施の形態として、図６、図７及び図８に示すリモコン送信機２０とすることもできる。
【００６６】
図６、図７及び図８のリモコン送信機２０は、ＤＶＤ用リモコン送信機であり、電池収容部２２の電池収容形式と、電池収容部カバー２３（図７参照）における開口部２５の配設形式とが、図１〜図５のものと異なっている。
【００６７】
それ以外の構成及び作用効果は図１〜図５のものと同じであるので、重複する説明を省略する。
【００６８】
図６の例では、電池収容部２２が、二つの電池１４，１４を横並びで平行に収容できる形式とされ、電池収容部カバー２３も横広に形成されている。
【００６９】
開口部２５は、二つの電池１４，１４を回転操作できる単一の開口部とされている。
【００７０】
開口部２５は、各電池１４の長さ方向の中央部に対応する位置で、電池収容部カバー２３に設けるのが好ましい。
【００７１】
このようにすれば、各電池１４に対してバランス良く回転駆動力が伝達されることに加えて、開口部２５から各電池１４の両端部付近に埃が入り込みにくい。
【００７２】
リモコン送信機２０の使用者は、単一の開口部２５から指の腹を当てて、それぞれの電池１４を直接回転操作することにより、電池収容部２２内の端子と各電池１４との間の接触不良を簡易、迅速且つ確実に解消することができる。
【００７３】
また、図８に記載のように、電池を左右方向に直接回転するだけでなく、上下方向にも力を加えられる。
【００７４】
これにより、電池収納部２２のスプリング式端子付近の埃や汚れをより効果的に清掃できる。
【００７５】
電池の上下方向にも力を加えることは、スプリング式端子のスプリングの力が弱まったときや、端子付近の埃が多く汚れが酷いときに特に効果的である。
【００７６】
図１〜図５に示したテレビ用リモコン送信機１０（図９（ａ），（ｂ））や、図６〜図８に示したＤＶＤ用リモコン送信機２０（図９（ｅ），（ｆ））の他、図９（ｃ），（ｄ）に示すような照明用リモコン送信機３０についても、本発明を具現化することができる。
【００７７】
図９（ｃ），（ｄ）において、符号３２は電池収容部、３３は電池収容部カバー、３５は開口部を示している。
【００７８】
なお、電池収納部カバーは、電池が落ちず、外れない手段であればよく、図示したいない他の様々な手段・機構を含む概念である。
【００７９】
なお、電池収容部カバーにおける前記開口部の形成位置は任意であるが、電池の両端部以外の箇所に対応する位置とするのが好ましい。中でも特に、電池の両端部から最も遠い、電池の長さ方向の中央部に対応する位置で電池収容部カバーに開口部を設けるのが好ましい。
【００８０】
さらに、図示していない他の様々な、電池式のリモコン送信機についても本発明を具現化することができる。
【００８１】
また、本発明は、電池式のリモコン送信機の他、電池式のラジオ、電池式の携帯充電器、電池式電子辞書、電池式歯ブラシ、電池式の時計、電池式のおもちゃ等、電池を電源とする機器についても、広く具現化することができる。
【符号の説明】
【００８２】
１０，２０  リモコン送信機（電池を電源とする機器）
１１  送信機本体（機器本体）
１２，２２，３２  電池収容部
１３，２３，３３  電池収容部カバー
１４  電池
１５，２５，３５  開口部
【図１】
2020140799.tif 000003
【図２】
2020140799.tif 000004
【図３】
2020140799.tif 000005
【図４】
2020140799.tif 000006
【図５】
2020140799.tif 000007
【図６】
2020140799.tif 000008
【図７】
2020140799.tif 000009
【図８】
2020140799.tif 000010
【図９】
2020140799.tif 000011